(57)【特許請求の範囲】
【請求項１】
液晶ディスプレイ（ＬＣＤ）であって、
１つ又はそれ以上の第１カラーＬＥＤ、１つ又はそれ以上の第２カラーＬＥＤ、及び１つ又はそれ以上の第３カラーＬＥＤからなる少なくとも三色の発光ダイオード（ＬＥＤ）を含むバックライトと、
サブピクセルの光の透過を制御することによって前記バックライトからＬＣＤの出力への光の通過を制御する液晶（ＬＣ）層と、
主に第１カラーの光を通すための第１サブピクセル領域、主に第２カラーの光を通すための第２サブピクセル領域、及び前記バックライトによって生成された全ての光を通すための第３サブピクセル領域からなるサブピクセル領域を有するカラー・フィルタと、
を備え、前記ＬＣＤにおける各々の単一ピクセルは、単一の第１サブピクセル領域、単一の第２サブピクセル領域、及び単一の第３サブピクセル領域のみのグループからなり、各々の単一ピクセルは、前記単一の第１サブピクセル領域、前記単一の第２サブピクセル領域、及び前記単一の第３サブピクセル領域からの光の組み合わせである色を生成し、
第１の時間期間にわたって前記バックライトにおける前記第３カラーＬＥＤのみに照射し、第２の時間期間にわたって前記バックライトにおける全てのＬＥＤに照射するための第１コントローラをさらに備えることを特徴とするＬＣＤ。
【請求項２】
偏光子をさらに備え、前記偏光子及び前記カラー・フィルタが単一のシート上に形成されることを特徴とする請求項１に記載のＬＣＤ。
【請求項３】
前記ＬＣ層が、前記バックライトと前記フィルタとの間に配置されることを特徴とする請求項１に記載のＬＣＤ。
【請求項４】
光を前記サブピクセル領域に選択的に通すように前記ＬＣ層を制御するための第２コントローラをさらに備え、前記第２コントローラは前記第１コントローラと同期されていることを特徴とする請求項１に記載のＬＣＤ。
【請求項５】
前記第１時間期間及び前記第２時間期間にわたって前記サブピクセルを通る光が組み合わされて、前記ＬＣＤにおける各ピクセルについての単一の知覚される色を生成するように、前記第２コントローラが前記第１コントローラと同期されることを特徴とする請求項４に記載のＬＣＤ。
【請求項６】
前記第２時間期間の前に前記第１時間期間が生じることを特徴とする請求項５に記載のＬＣＤ。
【請求項７】
前記第２時間期間の後に前記第１時間期間が生じることを特徴とする請求項５に記載のＬＣＤ。
【請求項８】
表示された画像における前記第３カラーのピーク値に基づいて前記第１時間期間が調整されることを特徴とする請求項５に記載のＬＣＤ。
【請求項９】
前記第１コントローラ及び前記第２コントローラが単一のプロセッサであることを特徴とする請求項１に記載のＬＣＤ。
【請求項１０】
前記第１カラーが赤色であり、前記第２カラーが緑色であり、前記第３カラーが青色であることを特徴とする請求項１に記載のＬＣＤ。
【請求項１１】
前記ＬＣＤがテレビであることを特徴とする請求項１に記載のＬＣＤ。
【請求項１２】
第１偏光子、薄膜トランジスタ・アレイ、及び第２偏光子をさらに備え、前記第１偏光子及び薄膜トランジスタ・アレイが前記ＬＣ層の第１側に配置され、前記第２偏光子及びカラー・フィルタが前記ＬＣ層の第２側に配置されることを特徴とする請求項１に記載のＬＣＤ。
【請求項１３】
液晶ディスプレイ（ＬＣＤ）を制御するための方法であって、前記ＬＣＤがバックライトを備え、前記バックライトは少なくとも三色の発光ダイオード（ＬＥＤ）を備え、前記ＬＥＤは、１つ又はそれ以上の第１カラーＬＥＤと、１つ又はそれ以上の第２カラーＬＥＤと、１つ又はそれ以上の第３カラーＬＥＤとを含み、前記ＬＣＤはさらに液晶（ＬＣ）層を備え、前記ＬＣ層は、サブピクセルの光の透過を制御することによって、前記バックライトから前記ＬＣＤの出力への光の通過を制御し、前記ＬＣＤはさらにカラー・フィルタを備え、前記フィルタはサブピクセル領域を有し、前記サブピクセル領域は、主に第１カラーの光を通すための第１サブピクセル領域、主に第２カラーの光を通すための第２サブピクセル領域、及び前記バックライトによって生成された全ての光を通すための第３サブピクセル領域を含み、前記ＬＣＤにおける各々の単一ピクセルは、第１サブピクセル領域、第２サブピクセル領域、及び第３サブピクセル領域を含み、各々の単一ピクセルは、前記第１サブピクセル領域、前記第２サブピクセル領域、及び前記第３サブピクセル領域からの光の組み合わせである色を生成し、前記方法が、
第１時間期間にわたって前記バックライトにおける前記第３カラーＬＥＤのみに通電し、
前記第１時間期間の間、光を前記第３サブピクセル領域に選択的に通すように前記ＬＣ層を制御し、
第２時間期間にわたって前記バックライトにおける全てのＬＥＤに通電し、
前記第２時間期間の間、光を前記第１、前記第２、及び前記第３サブピクセル領域に選択的に通すように前記ＬＣ層を制御する、
ことを含み、前記第１時間期間及び前記第２時間期間の間の前記ＬＣ層の制御によって画像ピクセルが生成され、各々の画像ピクセルが、前記第１及び第２時間期間の間に前記第１、前記第２及び前記第３サブピクセルからの光の組み合わせを生成して、前記第１及び第２時間期間にわたって組み合わされた色を生成することを特徴とする方法。
【請求項１４】
前記第１及び第２時間期間にわたって前記ＬＣＤによって生成された画像が静止画像であることを特徴とする請求項１３に記載の方法。
【請求項１５】
前記ＬＣＤによって作成された画像がフレームであり、多数のフレームが前記ＬＣＤによって表示される動画を生成し、前記第１時間期間及び前記第２時間期間がフレームの全て又はフレームの一部を構成することを特徴とする請求項１３に記載の方法。
【請求項１６】
生成される画像における前記第３カラーのピーク値を求めることをさらに含み、第１時間期間にわたって前記バックライトにおける前記第３カラーＬＥＤのみに通電することが、生成される画像における前記第３カラーのピーク値に基づいて、第１時間期間にわたって前記バックライトにおける前記第３カラーＬＥＤのみに通電することを含む、請求項１３に記載の方法。
【請求項１７】
前記第１時間期間が前記第２時間期間の前に発生することを特徴とする請求項１３に記載の方法。
【請求項１８】
前記第１時間期間が前記第２時間期間の後に発生することを特徴とする請求項１３に記載の方法。
【請求項１９】
前記第１カラーが赤色であり、前記第２カラーが緑色であり、前記第３カラーが青色であることを特徴とする請求項１３に記載の方法。
【請求項２０】
テレビジョン信号を受信し、
前記バックライト及び前記ＬＣ層を制御して前記ＬＣＤ上にテレビジョン信号を生成するために、前記テレビジョン信号を処理する、
ことをさらに含む、請求項１３に記載の方法。
【発明の詳細な説明】
【技術分野】
【０００１】
本発明は、カラー液晶ディスプレイ（ＬＣＤ）に関し、より詳細には、発光ダイオード（ＬＥＤ）を有するバックライトを用いるＬＣＤに関する。
【背景技術】
【０００２】
図１は、典型的な従来技術のカラー透過型ＬＣＤを示す。図１の構造体は、本発明によって回避される従来技術のＬＣＤの特定の欠点を確認するために用いられる。
図１においては、ＬＣＤ１０は、上側のＬＣＤ層のための背面照明を与える白色光源１２を含む。白色光の一般的な光源は蛍光灯である。別の白色光源は、赤色、緑色、及び青色発光ダイオード（ＬＥＤ）の組み合わせであり、これらの組み合わされた光が白色光をもたらす。他の白色光源も知られている。これらの白色光源は、ディスプレイの背面に実質的に均質な光を与えなければならない。
【０００３】
偏光フィルタ１４は、白色光を直線的に偏光する。偏光された白色光は、次いで、ディスプレイの赤色、緑色及び青色サブピクセルの各々のための１つのトランジスタを有する透過型薄膜トランジスタ（ＴＦＴ）アレイ１６に伝達される。赤色、緑色及び青色サブピクセルの隣接した組が白色ピクセルと呼ばれ、そのカラー「ドット」は、これらの３つのサブピクセルの組み合わせである。ＲＧＢサブピクセルが全て通電された場合に、ドットが白色光を生み出す。ＴＦＴアレイは周知であるので、さらに説明される必要はない。
ＴＦＴアレイ１６の上に液晶層２０があり、液晶層２０の上に、接地接続された透明な導電層２２がある。液晶層２０のサブピクセル領域にわたる電界によって、光がサブピクセル領域を通って、入光時の偏光に対し直角に回転された偏光をもつことになる。液晶層２０のサブピクセル領域にわたる電界の欠如によって、液晶が整列され、偏光に影響を及ぼさなくなる。トランジスタに選択的に通電することによって、液晶層２０にわたる局所電界が制御される。サブピクセルに関連する液晶層の各部分は、各々が入光からディスプレイの出力に至るまでの０−１００％（損失のないシステムとみなす）の通過を制御可能であるため、一般にシャッターと呼ばれる。液晶層は周知であり、市販されている。
偏光フィルタ２４は、偏光フィルタ１４からの光出力に対し直角に偏光された光のみを通す。したがって、偏光フィルタ２４は、液晶層２０の通電されたサブピクセル領域によって偏光された光のみを通し、液晶層２０の通電されていない部分を通る全ての光を吸収する。液晶層２０にわたる電界の大きさが、個々のＲ、Ｇ及びＢ成分の明るさを制御して、表示された画像における各ピクセルのいずれかの色を生み出す。
【０００４】
他のタイプのＬＣＤは、通電されていないピクセルにのみ光を通す。他のＬＣＤは、異なる向きの偏光を用いる。幾つかのタイプのＬＣＤは、特定の行導体及び列導体に通電することによって交差点における液晶層のピクセル領域に通電する、ＴＦＴアレイ１６のための受動導体グリッドを代用している。
偏光フィルタ２４を通り抜ける光は、次いでＲＧＢピクセル・フィルタ２５によってフィルタされる。ＲＧＢピクセル・フィルタ２５は、液晶層２０の上又は下のどこかといった、スタック内の他の位置に配置することができる。ＲＧＢピクセル・フィルタ２５は、赤色フィルタ層、緑色フィルタ層、及び青色フィルタ層から構成することができる。層は、薄膜として付着させることができる。例えば、赤色フィルタ層は、ディスプレイの赤色サブピクセル領域を定める赤色光フィルタ・アレイ領域を含む。同様に、緑色及び青色フィルタ層は、緑色又は青色光のみを緑色及び青色サブピクセル領域に通すことができる。したがって、ＲＧＢピクセル・フィルタ２５は、ディスプレイの各Ｒ、Ｇ及びＢサブピクセルのためのフィルタを与える。
【０００５】
ＲＧＢピクセル・フィルタ２５は、本質的に、各フィルタ・サブピクセル領域は３つの原色のうちの１色のみを通すため、そこに到達する全ての光の少なくとも２／３をフィルタ除去する。これは、従来技術のＬＣＤの全体として低い効率の大きな要因である。白色光源１２上のＬＣＤ層全体の透過率は、４−１０％のオーダーである。
バックライトにおける赤色、緑色及び青色ＬＥＤを順次通電することによってＲＧＢフィルタをなくすことが知られており、その順序付けは、液晶層の赤色、緑色及び青色サブピクセル領域の制御と同期されている。このようにして、赤色、緑色及び青色画像が、次々に急速に表示されて、フルカラー画像が発現することになる。しかしながら、現在の当該技術分野の液晶層は、特にＬＣＤがテレビ画面となる場合、ちらつきその他のアーチファクトを回避するのに十分なほどには速く切換えることができない。
単一の白色ピクセル内に赤色サブピクセル、緑色サブピクセル、青色サブピクセル及び白色サブピクセルを有することも知られており、この白色サブピクセルはいずれのフィルタも有さない。液晶シャッターによってグレイスケールが制御される別の白色サブピクセルを設けることは、表示された彩度を制御するのに効率よく用いることができる。しかしながら、単一の白色ピクセルに関する余分なサブピクセル（すなわち３に対して４）を有することにより、表示された画像の解像度が減少し、ＲＧＢピクセルのカラー生成領域が減少することになる。さらに、液晶層が付加的な駆動回路を必要とし、結果として高価な特別仕立ての装置となる。
【発明の開示】
【発明が解決しようとする課題】
【０００６】
必要とされるのは、従来技術の欠点をもたない、ＬＣＤの効率を向上させるための技術である。
【課題を解決するための手段】
【０００７】
画像フレーム・サイクルのようなサイクルの一部の間に、１つのカラーＬＥＤのみに通電することによって、赤色、緑色、及び青色ＬＥＤを有するバックライトが、単色光（例えば青色）を生成するように制御される。サイクルの別の部分の間に、全てのＬＥＤが照らされて白色光を生成する。ＬＣＤパネルにおけるカラー・フィルタは、各白色ピクセルについて、第１カラー（例えば赤色）サブピクセル・フィルタ領域と、第２カラー（例えば緑色）サブピクセル・フィルタ領域と、白色光及び単色光を通すための透明なサブピクセル領域とを備える。液晶層シャッターは、カラー画像を生成するためにそれらの関連するサブピクセルについて０−１００％の光を通すように制御される。
【０００８】
サイクルの単色部分とサイクルの白色光部分からの色の組み合わせは、白色ピクセルについてのいずれの色をも生成することができる。１つのカラー・フィルタ領域を透明領域に変換することにより、ＲＧＢフィルタを備えたディスプレイに比べて、ディスプレイの透過効率がほぼ２倍になる。
【発明を実施するための最良の形態】
【０００９】
本発明の一実施形態は、ＲＧＢ  ＬＥＤを備えたバックライトを使用する。ＬＣＤは、２つのカラー・サブピクセルからなる白色ピクセルと、白色サブピクセルのためのカラー・フィルタをもたない「白色」サブピクセルとを使用する。単一の白色ピクセルにつき３つのサブピクセルを用いることにより、ＲＧＢサブピクセルからなる白色ピクセルに比べて解像度の損失がない。さらに、白色サブピクセルのためのフィルタがないので、白色画像を生成するときのＬＣＤの透過効率は、ＲＧＢフィルタを用いる従来技術のＬＣＤのほぼ２倍である。
図２は、本発明の一実施形態に係るＬＣＤ３０の切取側面図である。バックライトは、反射壁及び開口上部を備えるボックス３４に設置されたＲＧＢ  ＬＥＤの二次元アレイ３２を有する。壁は、白色塗料で被覆することができる。ＬＥＤアレイ３２の上には、色混合光学系３６を表すシートがある。光学系３６は、粗面を備えるプラスチック板のようなディフューザとすることができる。
【００１０】
ＬＣＤパネル３８は、図４に示すように、液晶層、フィルタ、偏光子、及びＴＦＴアレイを含む。ＬＣＤパネル３８におけるカラー・フィルタ４０の一部のクローズアップが図２に示されている。フィルタ４０は、各サブピクセル領域においてカラー・フィルタを形成する薄膜を備えたプラスチック板又はガラス板とすることができる。表示画像における「単一の」カラー・ドットを形成する各白色ピクセルは、３つのサブピクセルからなる。画像における白色ピクセルの数が画像の解像度を決める。単一の白色ピクセルにおけるサブピクセルは、赤色サブピクセル４２、緑色サブピクセル４３、及び青色／白色サブピクセル４４である。赤色サブピクセル４２の領域におけるフィルタ４０は、理想的には、バックライトにおける赤色ＬＥＤからの赤色光のみを通す。緑色サブピクセル４３の領域におけるフィルタ４０は、理想的には、バックライトにおける緑色ＬＥＤからの緑色光のみを通す。青色／白色サブピクセル４４の領域におけるフィルタ４０は、フィルタ４０のその部分が透明であるため、バックライトによって生成された全ての光を通す。
実際の赤色及び緑色フィルタは、完全ではなく、幾らかの僅かな割合の他の色の光を通す。しかしながら、赤色光フィルタによってフィルタされた光は、見る人には赤く見え、緑色フィルタによってフィルタされた光は、見る人には緑に見えることになる。
ＬＣＤ／ＬＥＤコントローラ４６は、テレビジョン信号のような、入ってきた表示信号を処理し、後述するようにＬＣＤパネル３８及びＬＥＤを制御する。
【００１１】
図３は、バックライト・ボックス３４と、アレイ３２におけるそれぞれＲＧＢ  ＬＥＤ４８、４９、５０の上から下までの図である。各カラーＬＥＤの相対的な数は、特定のＬＥＤの効率と、所望の白色点に基づいている。一実施形態においては、比率は、１Ｒ、２Ｇ、１Ｂである。図３においては、簡単のために比率は、１Ｒ、１Ｇ、１Ｂである。ディスプレイのサイズに応じて、図３に示されたものより多い又は少ないＬＥＤが存在しても良い。
図４は、図２のディスプレイをより詳細に示す。図１と同じ要素は、同じ番号が振られており、再度説明しない。この実施形態においては、図１に示されたＲＧＢフィルタの代わりに、ＲＧフィルタ４０のみが用いられる。ＲＧフィルタ４０は、薄膜フィルタ領域を備えた単一のシートとすることができ、又は、フィルタ４０は、各々がフィルタ領域の異なる組を有する２つ又はそれ以上のシートとすることができる。好ましいＬＣＤは、ＲＧフィルタ４０、偏光フィルタ２４、及び正面ガラス板の片側の導体層を含む。単一の背面ガラス板の表面上にＴＦＴアレイ１６と偏光フィルタ１４が形成され、２つのガラス板の間に液晶材料が挟み込まれる。
図４においては、バックライトは、ＲＧＢ  ＬＥＤ白色光源５２及び混合光学系３６として示される。
【００１２】
ＬＣＤは、以下のように制御される。図５は、基本的な制御方法のフローチャートである。
ステップ６０において、ＬＣＤ／ＬＥＤコントローラ４６は、表示される画像における各ピクセルのＲＧＢ成分の明るさレベルに対応する表示信号を受信する。信号は、テレビジョン信号とすることができ、各画像はフレームである。１秒当たり３０のフレームが存在し、各フレームはちらつきを回避するために二度表示される。フレーム間の変化は移動として知覚される。入ってくる信号は、アナログ又はデジタルのいずれかの形式とすることができ、いずれかのエンコーディング方式を使用する。
ステップ６２において、ＬＣＤ／ＬＥＤコントローラ４６（例えば、１つ又はそれ以上のプログラムされたプロセッサは、液晶層２０におけるサブピクセル・シャッターを制御するために、入ってくる信号を処理して適切な制御を決定し、信号をアドレッシングしてＴＦＴアレイ１６に適用する。シャッターは、蛇行様式で、列毎に、一度に、又はいずれかの他の方法で制御することができる。
【００１３】
ＬＣＤ／ＬＥＤコントローラ４６はまた、単一のフレーム・サイクルの間、バックライトにおける青色ＬＥＤ５０のみのオン時間（図６のＴ０からＴ１）を決定する。このオン時間の間、赤色及び緑色ＬＥＤはオフである。青色／白色サブピクセル４４によって与えられた、ピクセルにおけるいずれの青色値も、青色ＬＥＤのみのオン時間の間の青色寄与によってのみ達成されるため、青色ＬＥＤ５０のオン時間は、画像の全てのピクセルにおけるピーク青色値に基づいて計算される。生成された全ての青色光は、フィルタ４０の透明部分をフィルタされないまま通過し、フィルタの透明部分は、図２の青色／白色サブピクセル４４として識別される。
ＬＣＤ／ＬＥＤコントローラ４６はまた、単一のフレーム・サイクルの間のバックライトにおける全てのＲＧＢ  ＬＥＤのオン時間（図６のＴ１からＴ２）を決定する。この全てのＬＥＤのオン時間は、青色ＬＥＤのオン時間の前又は後に発生する。全てのＬＥＤがオンのときには、赤色フィルタ領域が赤色光のみを通し、緑色フィルタ領域が緑色光のみを通し、青色／白色フィルタ領域が組み合わされたＲＧＢ白色光を通す。
【００１４】
ステップ６４及び６６においては、ＬＣＤ／ＬＥＤコントローラ４６によって、計算された制御スキームが実行される。ステップ６４において、コントローラ４６は、図６に示すように、計算された時間Ｔ０からＴ１にわたってバックライトにおける全ての青色ＬＥＤ５０に通電する。この時間の間、青色光が赤色及び緑色サブピクセル領域におけるフィルタ４０によってブロックされるため、ディスプレイの赤色及び緑色サブピクセル領域が暗くなる。さらに、赤色及び緑色サブピクセル領域における液晶シャッターは、遮断状態にある。液晶層２０における青色／白色サブピクセル・シャッターは、表示される画像に応じて、青色光の０−１００％を通すように制御される。シャッターを制御することにより、フレーム・サイクルのこの部分の間に白色ピクセルに寄与することになる青色の割合が制御される。ピーク青色値を有するピクセルは、理想的には、ＬＣＤの最大効率のために青色ＬＥＤがオンのときにそれらのシャッターが１００％開くべきである。シャッターは、時刻Ｔ０−Ｔ１の間の青色光と時刻Ｔ１−Ｔ２の間の白色光の青色成分の寄与がフレーム期間の間のピクセルの適正な青色量をもたらすように、時刻Ｔ０−Ｔ１の間制御される。一般に、より短い時間にわたって青色ＬＥＤをオンにし、シャッターが、より長い時間にわたって青色ＬＥＤがオンになりシャッターがより少ない青色光を通すときよりも、多くの青色光を通すようにするのが最善である。
効率は劣るが計算が煩雑でないデバイスについては、サイクルの青色光部分のデューティ・サイクルは、「最悪の」青色画像に固定されることがある。同様に、効率の劣るデバイスについては、サイクルのＲＧＢ部分はまた、固定のデューティ・サイクルとされることもある。
【００１５】
ステップ６６において、コントローラ４６は、図６に示すように、計算された時刻Ｔ１からＴ２にわたってバックライトにおける全てのＲＧＢ  ＬＥＤ４８−５０に通電する。この時間の間、液晶層２０は、表示される画像を形成するために、各サブピクセル・シャッターがサブピクセルのそれぞれの色の０−１００％を通すように制御される。液晶層２０における青色／白色サブピクセル・シャッターは、各白色ピクセルの所望の全体色得るために、白色光から赤色及び緑色サブピクセル光までの要求される部分に寄与するように制御される。この期間の間の青色／白色サブピクセル・シャッターの制御は、時刻Ｔ０−Ｔ１の間に白色ピクセルに寄与する青色光の量によって影響される。
別の実施形態においては、時間期間Ｔ０−Ｔ２は、画像ピクセルのサブセットのような画像の一部のみを形成することができ、表示画面上に全画像を形成するために付加的な１つ又はそれ以上のサイクルが用いられる。
【００１６】
当業者には理解されるように、あらゆるカラー画像が、上述の技術を用いてディスプレイによって生成される。ヒトの色知覚の特徴として、単一のフレーム・サイクルにわたる各白色ピクセルにおけるサブピクセル・カラーが互いに混合されて、ちらつきなしに単一のカラー白色ピクセルが形成される。見る人は、制御サイクルの分離部分を知覚することはできない。ＬＣＤ／ＬＥＤコントローラ４６をプログラミングするのに要求されるソフトウェアは、カラーＬＣＤの分野の当業者には周知である。
理解されるように、ＬＣＤ／ＬＥＤコントローラ４６は、液晶層２０及びＬＥＤの制御を計算するためのプロセッサと、計算された制御を実行するための別のプロセッサといった、多数のプロセッサを表す。すなわち、コントローラ４６は、バックライトを制御するための１つのプロセッサと、液晶層を制御するための別のプロセッサとを表すことができる。テレビジョン信号を処理し本発明のＬＣＤを制御するために要求される機能をもつプロセッサは、市販されている。
【００１７】
上記の例においては、フィルタ４０は、赤色及び緑色フィルタのみを有し、青色フィルタは除去されている。青色フィルタの除去は、それがＬＣＤパネルにおける色均一性誤差の最大の原因であるため魅力的であり、青色フィルタの特徴は、フィルタの厚さ変動に対し最も敏感である。したがって、青色フィルタを除去することにより、フィルタの歩留まりが増加する。さらに、青色ＬＥＤは、高電流密度状態であっても最も高い効率を有し、そのため特定のデューティ・サイクルにわたって青色ＬＥＤのみに通電することにより、バックライトの効率が向上する。さらに、飽和した青色は、ディスプレイの所望の白色点を得るために赤色と緑色のバランスをとるのに最も要求される、自然周波数においては生じない色である。
【００１８】
他の実施形態においては、フィルタは、赤色、緑色及び青色フィルタのいずれかの組み合わせを含むことができ、第３のサブピクセルはフィルタをもたない。いずれのフィルタももたない色を生成するＬＥＤは、青色ＬＥＤに関して上述されたのと同じ方法で制御されることになる。
カラー・フィルタの７５％−８７％の透過効率及びその他のファクタを考慮すると、青色カラー・フィルタ（又はいずれかの他の単一カラー・フィルタ）の削除は、結果として、白色光を表示するときのディスプレイの透過効率を、ＲＧＢフィルタを含む同様のディスプレイのほぼ２倍にする。透過効率を増加させることにより、バックライトのコストが下がり、より少ないＬＥＤの使用が可能となり、エネルギー消費が減少する。１つの例においては、ＲＧＢ  ＬＥＤの比率は、従来技術の方法を用いる１Ｒ、２Ｇ、１Ｂから本発明を用いる１Ｒ、１Ｇ、１Ｂに変化させることができ、これは、色均一性を改善すると共に、必要なＬＥＤの数を減少させる。
【００１９】
本発明においては、白色光を生成するためにＲＧＢ以外のＬＥＤの色も用いることができる。
図２及び図４のＬＣＤは、６０インチまでのような大画面テレビであってもよいし、又は、携帯電話、小型ＴＶ又はカラー・ディスプレイを備えるいずれかの持ち運び式装置といった小画面ディスプレイであってもよい。ＬＣＤは、動画、静止画像、又はいずれかの他の情報を生成するのに用いることができる。
本発明の特定の実施形態が図示され説明されてきたが、本発明のその広範な態様から逸脱することなく変更及び修正を加えることができ、従って、特許請求の範囲の請求項は、全てのそうした変更及び修正を本発明の真の精神及び範囲内に含まれるものとしてそれらの範囲内に包含することが、当業者には明らかであろう。
【図面の簡単な説明】
【００２０】
【図１】ＲＧＢフィルタを備えた従来技術のＬＣＤを示す図である。
【図２】本発明の一実施形態に係る簡単化されたＬＣＤの切取側面図と共に、カラー・フィルタの一部のクローズアップ図を示す。
【図３】制御されたＲＧＢ  ＬＥＤを備えるバックライトの上から下までの図である。
【図４】本発明の一実施形態に係るＬＣＤの図である。
【図５】本発明の一実施形態に係るＬＣＤを制御する方法を示すフローチャートである。
【図６】バックライトにおける青色ＬＥＤ及びＲＧＢ  ＬＥＤの順次制御を示す図である。
【符号の説明】
【００２１】
３０：ＬＣＤ
３２：ＬＥＤアレイ
３４：ボックス
３６：色混合光学系
３８：ＬＣＤパネル
４０：カラー・フィルタ
４２：赤色サブピクセル
４３：緑色サブピクセル
４４：青色／白色サブピクセル
４６：ＬＣＤ／ＬＥＤコントローラ
【図１】
0005166731.tif 000002
【図３】
0005166731.tif 000003
【図４】
0005166731.tif 000004
【図５】
0005166731.tif 000005
【図６】
0005166731.tif 000006
【図２】
0005166731.tif 000007